(57)【要約】【課題】浴室暖房乾燥換気装置をコンパクト化する。特に、換気装置の排気経路をコンパクト化することで浴室暖房換気装置をコンパクト化する。【解決手段】換気通路部品３４は循環ファンモータ８とケーシング６の天面との間の空間に配設される。換気通路部品３４の上面は開口されており、開口された換気通路部品３４の上面がケーシング６の天面に当てて取付けられ、換気通路部品３４とケーシング６の内面との間に換気通路が形成されている。循環ファンモータ８の軸受け部分８ａは、換気通路部品３４と一体成形されている循環ファンモータ受け２０と仕切り板２４との間に挟み込まれて固定されている。【選択図】　　　図１
2004060903.tif 000002
【特許請求の範囲】
【請求項１】
浴室の空気を加熱するための加熱手段と、前記加熱手段によって加熱された空気を浴室内に吹き出させるための循環ファンと、浴室内の空気を屋外へ排出させるための換気装置とをケーシングに納めた浴室暖房換気装置において、
前記循環ファンを回転させるための循環ファンモータの近傍に換気通路部品を配設して換気通路を形成し、前記換気通路部品に前記換気装置を接続したことを特徴とする浴室暖房換気装置。
【請求項２】
前記換気通路は、前記換気通路部品と前記ケーシングとの間に形成されていることを特徴とする、請求項１に記載の浴室暖房換気装置。
【請求項３】
前記換気通路部品の外周面のうち、前記ケーシングの内面と対向する面を開口させ、前記換気通路部品の開口した面を前記ケーシング内面に取り付けることにより、前記換気通路部品と前記ケーシング内面との間に換気通路を形成したことを特徴とする、請求項２に記載の浴室暖房換気装置。
【請求項４】
前記換気通路部品の、前記循環ファンモータと対向する箇所を窪ませていることを特徴とする、請求項１、２又は３に記載の浴室暖房換気装置。
【請求項５】
前記換気通路部品は、前記循環ファンモータを支持するための循環ファンモータ受けと一体に形成されていることを特徴とする、請求項１、２、３又は４に記載の浴室暖房換気装置。
【発明の詳細な説明】
【０００１】
【発明の属する技術分野】
本発明は、浴室暖房換気装置に関する。
【０００２】
【背景技術】
浴室内の暖房と換気とを行うための浴室暖房換気装置としては、天井取付け型のものと、壁掛け型のものとが提供されている。しかし、いずれも寸法が大きく、大きな設置面積を占めるばかりでなく、天井や壁面に施工する際にも、一人で施工することが困難であった。そのため従来より浴室暖房換気装置のコンパクト化が望まれていた。
【０００３】
また、従来の浴室暖房換気装置においては、換気装置をケーシング内に取付け、ケーシングに開口された排出口と換気装置との間を専用の換気通路部品で接続していた。しかし、この換気通路部品の設置位置については、格別に配慮されておらず、換気通路部品の設置スペースや換気通路部品の周囲に生じる無駄なスペースのため、浴室暖房換気装置をコンパクト化する妨げになっていた。
【０００４】
本発明は上記従来例の問題点に鑑みてなされたものであり、その目的とするところは、換気通路及びその周囲の省スペース化を図ることによって浴室暖房換気装置をコンパクト化することにある。
【０００５】
【発明の開示】
本発明の請求項１にかかる浴室暖房換気装置は、浴室の空気を加熱するための加熱手段と、前記加熱手段によって加熱された空気を浴室内に吹き出させるための循環ファンと、浴室内の空気を屋外へ排出させるための換気装置とをケーシングに納めた浴室暖房換気装置において、前記循環ファンを回転させるための循環ファンモータの近傍に換気通路部品を配設して換気通路を形成し、前記換気通路部品に前記換気装置を接続したことを特徴としている。ここでいう加熱手段は、特に限定されるものではなく、例えば、温水と熱交換させることによって浴室の空気を加熱する熱交換器でもよく、発熱によって浴室の空気を加熱する電気ヒータでもよい。
【０００６】
請求項１の浴室暖房換気装置にあっては、循環ファンモータの周囲の空間を利用して換気通路部品により換気通路を形成しているので、空間を合理的に利用して浴室暖房換気装置をコンパクト化することができる。さらに、換気装置と循環ファンモータとが接近した位置に配置されることになることでも、浴室暖房換気装置をコンパクト化することができる。
【０００７】
請求項２に記載の浴室暖房換気装置は、請求項１における前記換気通路が、前記換気通路部品と前記ケーシングとの間に形成されていることを特徴としている。
【０００８】
請求項２の浴室暖房換気装置にあっては、換気通路部品とケーシングとの間に換気通路を形成しているので、換気通路を一部ケーシングを利用して構成することができ、浴室暖房換気装置をコンパクト化できる。
【０００９】
請求項３に記載の浴室暖房換気装置は、請求項２において、前記換気通路部品の外周面のうち、前記ケーシングの内面と対向する面を開口させ、前記換気通路部品の開口した面を前記ケーシング内面に取り付けることにより、前記換気通路部品と前記ケーシング内面との間に換気通路を形成したことを特徴としている。
【００１０】
請求項３の浴室暖房換気装置にあっては、換気通路部品のケーシング内面と対向する面を開口して換気通路部品とケーシング内面とで換気通路を形成しているので、換気通路部品を小さくすることができ、浴室暖房換気装置をより一層コンパクト化することができる。
【００１１】
請求項４に記載の浴室暖房換気装置は、請求項１、２又は３において、前記換気通路部品の、前記循環ファンモータと対向する箇所を窪ませていることを特徴としている。
【００１２】
請求項４の浴室暖房換気装置にあっては、換気通路部品の循環ファンモータと対向する箇所を窪ませているので、循環ファンモータを換気通路部品の当該窪みに近づけて配置することにより、循環ファンモータと換気通路部品との距離を小さくでき、浴室暖房換気装置をよりコンパクト化することができる。しかも、窪みの設けられている箇所以外では換気通路が狭くなることがないので、換気通路が狭くなって換気効率が低下することがない。
【００１３】
請求項５に記載の浴室暖房換気装置は、請求項１、２、３又は４における前記換気通路部品が、前記循環ファンモータを支持するための循環ファンモータ受けと一体に形成されていることを特徴としている。
【００１４】
請求項５に記載された浴室暖房換気装置にあっては、換気通路部品と循環ファンモータ受けとを一体化しているので、部品点数を削減することができ、浴室暖房換気装置のコストを低減させることができる。また、部品の一体化により、部品配置スペースを小さくできるので、浴室暖房換気装置をよりコンパクト化することができる。
【００１５】
【発明の実施の形態】
（第１の実施形態）
図１（ａ）は本発明の一実施形態による天井取付け型の浴室暖房換気装置の構造を示す概略断面図、図１（ｂ）は図１（ａ）のＸ１−Ｘ１線断面図である。浴室暖房換気装置１は、装置本体２と化粧パネル３とから構成されている。装置本体２は天井裏へ納入され、吊りボルト（図示せず）等によって天井裏で吊り下げられる。装置本体２の下面に対向して開口された天井パネル４の開口５の下には、化粧パネル３が着脱自在に取付けられる。
【００１６】
装置本体２においては、下面開口した箱状のケーシング６内にクロスフローファンからなる循環ファン７が納められ、循環ファン７の回転軸には、循環ファンモータ８が接続されている。循環ファンモータ８は、その軸受け部分８ａを循環ファンモータ受け２０と仕切り板２４との間に挟み込まれて保持されている。また、循環ファン７のエア吸入側には２面の熱交換器１０が設置されており、循環ファン７のエア吹き出し側には温風吹出し通路１１が取付けられている。
【００１７】
化粧パネル３には、グリル状をした吸込口１２と吹出口１３とが設けられ、吸込口１２は循環ファン７のエア吸い込み側に対向するように配置され、吹出口１３は装置本体２の温風吹出し通路１１の下端に位置している。また、吸込口１２の上面には面状のフィルタ１４が配設されている。
【００１８】
しかして、循環ファンモータ８により循環ファン７を回転させると、化粧パネル３の吸込口１２から装置本体２内へ浴室内の空気が吸い込まれ、吸い込まれた空気は熱交換器１０を通過する。熱交換器１０には、熱源機（図示せず）で加熱された温水が循環しており、循環ファン７により吸い込まれた空気が熱交換器１０を通過すると、温水と熱交換することによって加熱される。加熱された温風は循環ファン７によって送り出され、温風吹出し通路１１を通って吹出口１３から吹き出される。
【００１９】
よって、冬季の入浴時または入浴前においては、吹出口１３から例えば斜めに温風を吹き出すことによって、浴室内の暖房を行うことができる。また、吹出口１３の真下に衣類を吊り下げておき、吹出口１３から真下に向けて温風を吹き出すことにより、浴室内を衣類乾燥室として使用することができる。
【００２０】
図２は上記装置本体２を斜め下方から見上げた状態で示す斜視図、図３はその背面図である。図３に示すように、ケーシング６には、換気装置１５により強制排気される湿気を含んだ浴室の空気を装置本体２の外部へ排出させるための排出口１６が設けられている。図示しないが、ケーシング６の外部において排出口１６には排気用ダクトが接続され、排出口１６から排出された湿気を含んだ空気は排気用ダクトを通じて屋外へ排出される。なお、符号１７で示すものは、排出口１６を閉じる排気カバーであって、施工状態における上端縁を回動自在に軸支されており、外側へのみ開くようになっている。従って、装置本体２内の湿気を含んだ空気は、風圧で排気カバー１７を押し開いて外部へ排出されるが、逆に、外部から排気用ダクトに強風が吹き込んでも排気カバー１７が開かず、浴室内に強風が吹き込む恐れがない。
【００２１】
排出口１６には、換気通路部品３４の一方端面が接続されており、図２に示すように換気通路部品３４の下に循環ファンモータ８が位置し、換気通路部品３４の他端に隣接する位置には、換気装置１５が設置されている。
【００２２】
図４は換気通路部品３４を上下反転させた状態で示す斜視図、図５（ａ）（ｂ）（ｃ）は換気通路部品３４の正面図、左側面図、背面図であり、図５（ｄ）は図５（ａ）のＸ２−Ｘ２線断面図である。換気通路部品３４は樹脂成形品であって、換気通路部品３４の上面は開口しており、ケーシング６の天面との間で換気通路３５を構成している。換気通路部品３４の上面を開口しておき、この開口をケーシング６の内面で塞いでケーシング６の内面との間に換気通路３５を形成することにより、できるだけ無駄なスペースを減らすことができ、換気通路３５の通路断面積を広くできる。あるいは、換気通路部品３４の高さをできるだけ小さくして省スペース化できる。
【００２３】
上記のように換気通路３５を形成するための換気通路部品３４の上面が開口しており、換気通路部品３４の両側板２２の上面２３はケーシング６の内面に沿うような形状に成形されている。従って、換気通路部品３４をケーシング６の内面に取付けると、換気通路部品３４の両側板２２の上面２３がケーシング６の内面に密着し、さらに換気通路部品３４をネジでケーシング６に取付けてネジを締め込むことにより、換気通路部品３４の上面２３をケーシング６の内面にぴったりと取り付けることができる。両側板２２の上面２３にはそれぞれゴムパッキンや軟質樹脂シート、発泡樹脂シートなどの封止材３２を貼ってあり、それによって換気通路部品３４とケーシング６内面との密着性をより高めている。
【００２４】
ケーシング６に取り付けられた換気通路部品３４の背面は、ケーシング６の排出口１６の内面に接続されている。すなわち、換気通路部品３４の後端部には係止部２５が設けられており、図６に示すように、当該係止部２５を排出口１６に通し、係止部２５を排出口１６の外面に引っ掛けることで排出口１６の内面との間に隙間が生じないようにしている。
【００２５】
換気通路部品３４の前面には、換気装置１５を接続するための、傾斜した接続口２６が設けられており、その上面及び一方側面からは仕切座部２７が前方へ延出されている。図６に示すように、換気装置１５は、ハウジング２８内にシロッコファン２９とファンモータ３０とを納めたものであり、ハウジング２８の外周面に排気吹き出し口３１が設けられている。換気通路部品３４の接続口２６は、換気装置１５の排気吹き出し口３１と合致するように形成されており、仕切座部２７とケーシング６の内面との間に換気装置１５を挿入して固定させ、ゴムパッキンや軟質樹脂シート、発泡樹脂シートなどの封止材３３を挟んで換気装置１５の排気吹き出し口３１を換気通路部品３４の接続口２６に接続し、その状態でネジにより換気装置１５をケーシング６に固定している。
【００２６】
換気通路部品３４の側板２２のうち、循環ファン７と隣接する側に位置する側板２２の下端からは前記循環ファンモータ受け２０が延出されている。すなわち、換気通路部品３４と循環ファンモータ受け２０とは樹脂成形により一体成形され、複合部品９が構成されている。循環ファンモータ受け２０の下縁部には、循環ファンモータ８の軸受け部分８ａを保持するための切欠き部１８が半円状に設けられている。さらに、循環ファンモータ８の正面に飛び出ている軸受け部分８ａを切欠き部１８に嵌めて支持させたとき、循環ファンモータ８と換気通路部品３４とが接触しないように、換気通路部品３４の下面には循環ファンモータ８の外周面の形状に沿わせて窪み１９を形成している。循環ファンモータ受け２０の下面には、さらに仕切り板２４を取り付けられるが、この仕切り板２４の上縁には、切欠き部１８と合わさって循環ファンモータ８の軸受け部分８ａを挟み込んで保持するための切欠き部２１が設けられている。よって、循環ファンモータ８が循環ファンモータ受け２０と仕切り板２４によって保持される。
【００２７】
ここで、換気通路部品３４の下面に窪み１９を設けることによってケーシング６内で循環ファンモータ８を上方に位置させることができ、換気通路部品３４の換気通路断面を小さくすることなく、浴室暖房換気装置１のコンパクト化を図ることができる。
【００２８】
（第２の実施形態）
図７は本発明の別な実施形態による浴室暖房換気装置に用いられる複合部品３６と循環ファンモータ８を上下反転させた状態で示す斜め上後方から見た分解斜視図である。図７に示すように、循環ファンモータ８は、複合部品３６とモータ押さえ３７によって固定されるようになっている。図８（ａ）（ｂ）は複合部品３６の正面図及び背面図、図９はその右側面図、図１０はその平面図、図１１はその下面図である。また、図１２は図８（ａ）のＹ１−Ｙ１線断面図、図１３は図９のＹ２−Ｙ２線断面図、図１４は図９のＹ３−Ｙ３線断面図である。
【００２９】
この複合部品３６も換気通路３５を形成するための換気通路部品３４と循環ファンモータ受け２０、４１とが一体に成形されている。図１２に示すように換気通路部品３４の上面は開口していて、図１３及び図１４に示すように換気通路部品３４の断面は略角樋状をしており、換気通路部品３４の両側板２２の上面２３はケーシング６の内面に沿うような形状に成形されている。換気通路部品３４の両側板２２の上部には、ネジを通すための孔を有する固定部３８が設けられており、固定部３８に通したネジで換気通路部品３４をケーシング６の内面に取付けると、換気通路部品３４の両側板２２の上面２３がケーシング６の内面にぴったりと密着して固定される。従って、換気通路部品３４の上面がケーシング６の内面で塞がれて閉じた換気通路３５が形成される。
【００３０】
ケーシング６に取り付けられた換気通路部品３４の後部は、ケーシング６の排出口１６に連通している。換気通路部品３４の後部下面板３９の上面には、複数の平行なリブ４０が排気の流れ方向に沿って設けられており、それによって後部下面板３９を補強すると共に排気の流れを整流している。
【００３１】
換気通路部品３４の前面には、換気装置１５を接続するための、傾斜した接続口２６が設けられており、その上面及び一方側面からは仕切座部２７が前方へ延出されている。換気通路部品３４の接続口２６は、換気装置１５の排気吹き出し口３１と合致するように形成されており、仕切座部２７とケーシング６の内面との間に換気装置１５を挿入し、換気装置１５の排気吹き出し口３１を換気通路部品３４の接続口２６に接続されている。
【００３２】
複合部品３６の側板２２のうち、循環ファン７から遠い側に位置する側板２２には、換気通路部品３４の下面よりも下方へ突出した位置に循環ファンモータ受け４１が設けられており、循環ファンモータ受け４１には循環ファンモータ８の軸受け部分（突出部分）８ａがはまり込むような円形の支持孔４２が開口されている。また、循環ファン７と隣接する側に位置する側板２２の下端からも循環ファンモータ受け２０が延出されており、循環ファンモータ受け２０の下縁部には、循環ファンモータ８の軸受け部分８ａを保持するための切欠き部１８が半円状に設けられている。さらに、循環ファンモータ８の正面に飛び出ている軸受け部分８ａを切欠き部１８に嵌めて支持させたとき、循環ファンモータ８と換気通路部品３４とが接触しないように、換気通路部品３４の下面には循環ファンモータ８の外周面の形状に沿わせて窪み１９を形成している。
【００３３】
また、図１５（ａ）（ｂ）はモータ押さえ３７の側面図及び上面図、図１６（ａ）（ｂ）はその下面図、背面図、図１６（ｃ）は図１５（ａ）のＺ−Ｚ線断面図である。モータ押さえ３７は、略半円状に形成されており、一方側面には循環ファンモータ８の軸受け部分８ａを嵌め込むための凹部４３が形成され、一方端部にはネジを通すための通孔４４があけられ、他方端部の下面にはフック状をした係止部４５が設けられている。一方、複合部品３６の上面において、切欠き部１８を挟んでその両側には、係止部４５を差し込むための角孔状をした係止孔４６と雌ネジ孔４７が設けられている。また、図１６（ｂ）（ｃ）に示すように、モータ押さえ３７の上面には、複数のリブ４８を設けることによって強度を高くしている。
【００３４】
しかして、浴室暖房換気装置１の組立て時には、複合部品３６をケーシング６内の所定位置に取付け、固定部３８に通したネジをケーシング６に止めて複合部品３６をケーシング６に取付ける。これにより、複合部品３６とケーシング６の内面との間に換気通路３５が形成される。ついで、図７に示すように、循環ファンモータ８を複合部品３６の下方に配置し、循環ファンモータ８の背面に設けられている軸受け部分８ａを循環ファンモータ受け４１の支持孔４２に嵌め込んで固定し、さらに循環ファンモータ８の正面に設けられている軸受け部分８ａを循環ファンモータ受け２０の切欠き部１８に載せて保持させる。ついで、モータ押さえ３７の係止部４５を複合部品３６の係止孔４６に差し込んで引っ掛け、モータ押さえ３７を軸受け部分８ａの上に重ねて軸受け部分８ａをモータ押さえ３７と切欠き部１８との間に挟み込み、モータ押さえ３７の通孔４４に通したネジ４９を雌ネジ孔４７に締め付けることにより、循環ファンモータ８を固定する。さらに、この換気通路部品３４に接続するようにしてケーシング６内に換気装置１５を取り付ける。
【００３５】
【発明の効果】
請求項１の浴室暖房換気装置によれば、循環ファンモータの近傍の空間を利用して換気通路部品により換気通路を形成することができるので、空間の合理的利用によって浴室暖房換気装置をコンパクト化できる。また、換気装置と循環ファンモータが近接した位置に配置できる。
【００３６】
また、請求項２の浴室暖房換気装置によれば、換気通路部品とケーシングとの間に換気通路を形成しているので、換気通路を一部ケーシングを利用して構成することができ、浴室暖房換気装置をコンパクト化できる。
【００３７】
請求項３の浴室暖房換気装置によれば、換気通路部品のケーシング内面と対向する面を開口して換気通路部品とケーシング内面とで換気通路を形成しているので、換気通路部品をより小型化することができ、浴室暖房換気装置をより一層コンパクト化することができる。
【００３８】
請求項４の浴室暖房換気装置によれば、換気通路部品の循環ファンモータと対向する箇所を窪ませているので、循環ファンモータを換気通路部品の当該窪みに近づけて配置することにより、循環ファンモータと換気通路部品との距離を小さくでき、浴室暖房換気装置をよりコンパクト化することができる。しかも、窪み以外では換気通路が狭くなることがないので、換気通路が狭くなって換気効率が低下することがない。
【００３９】
請求項５に記載された浴室暖房換気装置によれば、換気通路部品と循環ファンモータ受けとを一体化しているので、部品点数を削減することができ、浴室暖房換気装置のコストを低減させることができる。また、部品の一体化により、部品配置スペースを小さくできるので、浴室暖房換気装置をよりコンパクト化することができる。
【図面の簡単な説明】
【図１】（ａ）は本発明の一実施形態による天井取付け型の浴室暖房換気装置の構造を示す概略断面図、（ｂ）は（ａ）のＸ１−Ｘ１線断面図である。
【図２】同上の浴室暖房換気装置を構成する装置本体を斜め下方から見た斜視図である。
【図３】同上の装置本体の背面図である。
【図４】循環ファンモータ受けを一体に形成された換気通路部品と仕切り板の構造を示す上下反転した状態の斜視図である。
【図５】（ａ）（ｂ）（ｃ）は換気通路部品を一体に形成された循環ファンモータ受けの正面図、左側面図、背面図、（ｄ）は（ａ）のＸ２−Ｘ２線断面図である。
【図６】図２の装置本体をＸ３−Ｘ３線で断面した断面図である。
【図７】本発明の別な実施形態による浴室暖房換気装置に用いられる複合部品と循環ファンモータを上下反転させた状態で示す斜め上後方から見た分解斜視図である。
【図８】（ａ）（ｂ）は複合部品の正面図及び背面図である。
【図９】同上の複合部品の右側面図である。
【図１０】同上の複合部品の平面図である。
【図１１】同上の複合部品の下面図である。
【図１２】図８（ａ）のＹ１−Ｙ１線断面図である。
【図１３】図９のＹ２−Ｙ２線断面図図である。
【図１４】図９のＹ３−Ｙ３線断面図である。
【図１５】（ａ）（ｂ）はモータ押さえの側面図及び上面図である。
【図１６】（ａ）（ｂ）は同上のモータ押さえの下面図、背面図、（ｃ）は図１５（ａ）のＺ−Ｚ線断面図である。
【符号の説明】
２　装置本体
６　ケーシング
７　循環ファン
８　循環ファンモータ
９　複合部品
１５　換気装置
１６　排出口
１７　排気カバー
１９　窪み
２０　循環ファンモータ受け
２５　係止部
２６　接続口
２７　仕切座部
３２　封止材
３３　封止材
３４　換気通路部品
【図１】
2004060903.tif 000003
【図２】
2004060903.tif 000004
【図３】
2004060903.tif 000005
【図４】
2004060903.tif 000006
【図５】
2004060903.tif 000007
【図６】
2004060903.tif 000008
【図７】
2004060903.tif 000009
【図８】
2004060903.tif 000010
【図９】
2004060903.tif 000011
【図１０】
2004060903.tif 000012
【図１１】
2004060903.tif 000013
【図１２】
2004060903.tif 000014
【図１３】
2004060903.tif 000015
【図１４】
2004060903.tif 000016
【図１５】
2004060903.tif 000017
【図１６】
2004060903.tif 000018